(57)【要約】【目的】回路規模の大型化を招くことなく一般者にも容易な操作で画質調整を行うことができる画像表示装置を提供すること。【構成】テレビジョン受像機、モニターディスプレィ等の画像表示装置において、調整操作時の操作量その表示位置にて示すアイコン等の操作量シンボルを生成し入力画像と合成する操作量シンボル表示手段と、操作量シンボル表示手段にて表示される操作量シンボルを表示画面上水平／垂直の２方向への移動指示操作を行う２次元移動指示手段、とを具備し、画質／音質等の調整時には入力画像に操作量シンボルとを合成して表示し、操作量シンボルの水平／垂直の２方向の表示位置をもって互いに関連のある２種類の各種調整項目の調整値を示す。【選択図】　　　図１
2004007215.tif 000002
【特許請求の範囲】
【請求項１】
テレビジョン受像機、モニターディスプレィ等の画像表示装置であって、
調整操作時の操作量その表示位置にて示すアイコン等の操作量シンボルを生成し入力画像と合成する操作量シンボル表示手段と、操作量シンボル表示手段にて表示される操作量シンボルを表示画面上水平／垂直の２方向への移動指示操作を行う２次元移動指示手段、とを具備し、画質／音質等の調整時には入力画像に操作量シンボルとを合成して表示し、操作量シンボルの水平／垂直の２方向の表示位置をもって互いに関連のある２種類の各種調整項目の調整値を示すことを特徴とする画像表示装置。
【請求項２】
テレビジョン受像機、モニターディスプレィ等の画像表示装置であって、
入力画像を所定の大きさに縮小した縮小画像を表示画面上任意の位置に表示する画像縮小表示手段と、画像縮小表示手段にて縮小された画像を表示画面上水平／垂直の２方向への移動指示操作を行う２次元移動指示手段、とを具備し、画質／音質等の調整時には入力画像を縮小表示し、縮小画像の水平／垂直の２方向の表示位置をもって互いに関連のある２種類の各種調整項目の調整値を示すことを特徴とする画像表示装置。
【請求項３】
調整操作時の調整内容と調整方向を視覚表示するアイコン等の調整操作補助シンボルを生成し入力画像と合成する調整操作補助シンボル表示手段を具備し、調整操作時には操作中の２種類の各種調整項目の調整内容と調整方向を併せて表示することを特徴とする請求項１又は２記載の画像表示装置。
【請求項４】
互いに関連のある２種類の各種調整項目の組み合わせが複数あり、個々の組み合わせに応じて調整操作補助シンボルが異なることを特徴とする請求項３記載の画像表示装置。
【請求項５】
互いに関連のある２種類の各種調整項目とは、明るさ調整とコントラスト調整であることを特徴とする請求項１〜４の何れかに記載の画像表示装置。
【請求項６】
互いに関連のある２種類の各種調整項目とは、彩度調整と色相調整であることを特徴とする請求項１〜４の何れかに記載の画像表示装置。
【請求項７】
互いに関連のある２種類の各種調整項目とは、彩度調整と２つの色差信号レベルバランス調整であることを特徴とする請求項１〜４の何れかに記載の画像表示装置。
【請求項８】
互いに関連のある２種類の各種調整項目とは、Ｇレベル調整と色温度調整であることを特徴とする請求項１〜４の何れかに記載の画像表示装置。
【請求項９】
互いに関連のある２種類の各種調整項目とは、ＲＧＢの内の何れか１つのレベル調整とＲＧＢの内の残る２つのレベルバランス調整であることを特徴とする請求項１〜４の何れかに記載の画像表示装置。
【請求項１０】
互いに関連のある２種類の各種調整項目とは、リア／フロント音声バランス調整とＬＲ音声バランス調整であることを特徴とする請求項１〜４の何れかに記載の画像表示装置。
【請求項１１】
互いに関連のある２種類の各種調整項目とは、高音レベル調整と低音レベル調整であることを特徴とする請求項１〜４の何れかに記載の画像表示装置。
【請求項１２】
互いに関連のある２種類の各種調整項目とは、音量調整とラウドネス調整であることを特徴とする請求項１〜４の何れかに記載の画像表示装置。
【発明の詳細な説明】
【０００１】
【発明の属する技術分野】
本発明は、テレビジョン受像機、モニターディスプレィ等の画像表示装置に関するものである。
【０００２】
【従来の技術】
テレビジョン受像機、モニターディスプレィ等の画像表示装置には、使用者の好みに応じてその描画特性を調整するための何らかの機能を有し、一般的には「画質調整」若しくは「カラーコレクション」と称されている。その調整項目、調整内容は、個々の装置毎に若干異なるが、主だったものとしては以下のようなものがある。
【０００３】
・明るさ…Ｂｒｉｇｈｔｎｅｓｓ
・コントラスト…Ｃｏｎｔｒａｓｔ
・彩度（色濃度）…Ｃｏｌｏｒ
・色相…Ｈｕｅ／　Ｔｉｎｔ
・色温度…Ｃｏｌｏｒ　Ｔｅｍｐｅｒａｔｕｒｅ
・シャープネス…Ｓｈａｒｐｎｅｓｓ
従来のテレビジョン受像機、モニターディスプレィ等の画像表示装置では、これらの各項目毎に調整機能を備えており、単独で調整するように構成されている。例えば、赤外線リモコンの操作により、先ず調整対象の項目が選択される。この選択操作に応じてＯＳＤ（Ｏｎ　Ｓｃｒｅｅｎ　Ｄｉｓｐｌａｙ）表示による棒グラフ又は数値表示等が画面上に表示され、操作者はこのＯＳＤ表示を見ながらアップ／ダウンボタンＳＷ等の操作により調整処理を行う。この調整操作に応じて画質が調整されるとともに、ＯＳＤ表示も変化する。
【０００４】
【発明が解決しようとする課題】
しかしながら、先に挙げた調整項目は互いに関連する内容のものもあり、それらの調整時には両者の調整操作を交互に繰り返さざるを得ず、不慣れな者には大変が難しかったり、面倒であったりした。
【０００５】
画質調整を視覚的に判り易くした例として特開平９−９３７１９号「色空間画像を補正する画像処理装置および方法」なる提案がなされている。これはＬａｂ色空間座標を表示し、その座標に示された円の位置、形状を操作することにより所望の色調整を可能とするものである。但し、これは写真原稿等を印刷原稿に用いる際に、フィルムのかぶりや光源色温度のアンマッチを補正するための装置であり、視覚的に判り易くなったとは言え、それなりの知識を有する者でなければ扱うことは難しく、又、それを実現するための回路規模の大きさやそれに起因するコスト面から考えても、一般向けのテレビジョン受像機やモニターディスプレィ等に用いることは難しい。
【０００６】
本発明は上記問題に鑑みてなされたもので、その目的とする処は、回路規模の大型化を招くことなく一般者にも容易な操作で画質調整を行うことができる画像表示装置を提供することにある。
【０００７】
【課題を解決するための手段】
上記目的を達成するため、本発明は、テレビジョン受像機、モニターディスプレィ等の画像表示装置において、調整操作時の操作量その表示位置にて示すアイコン等の操作量シンボルを生成し入力画像と合成する操作量シンボル表示手段と、操作量シンボル表示手段にて表示される操作量シンボルを表示画面上水平／垂直の２方向への移動指示操作を行う２次元移動指示手段、とを具備し、画質／音質等の調整時には入力画像に操作量シンボルとを合成して表示し、操作量シンボルの水平／垂直の２方向の表示位置をもって互いに関連のある２種類の各種調整項目の調整値を示すことを特徴とする。
【０００８】
【発明の実施の形態】
以下に本発明の実施の形態を添付図面に基づいて説明する。
【０００９】
＜実施の形態１＞
図１は本発明の実施の形態１に係るテレビジョン受像機やモニターディスプレィの回路ブロック図であり、実線は信号の流れを、破線は制御信号の流れを表わす。
【００１０】
図１において、１１は輝度信号入力端子、１２はクロマ信号入力端子、１３は輝度信号処理用増幅器、１４はクロマデコーダ、２４は輝度信号処理用増幅器１３からの輝度信号（以降Ｙ信号と記す）と、クロマデコーダ１４からの色差信号（Ｒ−Ｙ信号とＢ−Ｙ信号）を加減算してＲＧＢ信号に変換するＲＧＢマトリクス回路、２５はＲＧＢマトリクス回路２４から出力されたＲＧＢ信号にＯＳＤ表示信号を付加するＯＳＤ回路、５１はＬチャンネル音声入力端子、５２はＲチャンネル音声入力端子、５３は音声信号処理用増幅器、８１は画像表示器、８３はＬチャンネル用スピーカー、８４はＲチャンネル用スピーカー、９０はこれら各ブロックを制御するＣＰＵ、９１は各種調整項目の調整値を記憶する不揮発性のメモリーである。
【００１１】
ここに示した回路ブロックにはＴＶ放送用ＮＴＳＣチューナー若しくはＶＴＲ等からのＮＴＳＣ信号が入力される。輝度信号入力端子１１から入力されるＹ信号は輝度信号処理用増幅器１３にて、クロマ信号入力端子１２から入力されるクロマ信号（以降Ｃ信号と記す）はクロマデコーダ１４にて、それぞれＣＰＵ９０からの指示に応じた処理が成されＲＧＢマトリクス回路２４に供給される。
【００１２】
輝度信号処理用増幅器１３はＣＰＵ９０からゲイン“Ｙ−Ｇａｉｎ”とオフセット値“Ｏｆｆｓｅｔ”が指示される。このときのＹ信号処理を表わしたのが図２並びに図３であり、図２は“Ｙ−Ｇａｉｎ”による変化を、図３は“Ｏｆｆｓｅｔ”による変化を表わす。
【００１３】
“Ｙ−Ｇａｉｎ”にてゲインを上げる指示がなされると、ペデスタルレベルを固定した状態で増幅率が上げられ、図２のように破線にて示した波形が実線で示した波形のように操作される。これは所謂「コントラスト」を上げる操作に相当する。
【００１４】
“Ｏｆｆｓｅｔ”にてオフセットを上げる指示がなされると、今度はゲイン（増幅率）を固定した状態でＤＣ成分が付加され、図３のように破線にて示した波形が実線で示した波形のように操作される。これは所謂「明るさ」を上げる操作に相当する。
【００１５】
一方、クロマデコーダ１４は直角２相変調されたＣ信号を復調し、それぞれ所定の係数を乗じてＲ−ＹとＢ−Ｙの２つの色差信号を得る。この処理においてクロマデコーダ１４は、ＣＰＵ９０から位相“Ｐｈａｓｅ”とゲイン“Ｃ−Ｇａｉｎ”が指示される。
【００１６】
“Ｐｈａｓｅ”は２相変調されたクロマ信号を復調する際のｆｓｃ（サブキャリア）の基準位相を変化させるものである。図４はクロマ信号の位相と振幅を表わすベクトルスコープの概念を表わしたものであり、カラーバー信号の際のクロマ信号を模式的に描いてある。
【００１７】
“Ｐｈａｓｅ”にて位相を進ませる指示がなされると、クロマ信号復調用ｆｓｃの位相を進め、図４のように破線で結ばれた白丸にて示した各色位相が、実線で結ばれた黒丸にて示した位置に移動し、色味が変化する。これは所謂「色相」を右回転させる操作に相当する。
【００１８】
直角２相復調された２信号のうちＲ−Ｙ軸上の信号は１．１４倍、Ｂ−Ｙ軸上の信号は２０．３倍にそれぞれセンターレベル（色成分の無い０レベル）を固定した状態で増幅し、Ｒ−Ｙ信号とＢ−Ｙ信号を得る。ここで、“Ｃ−Ｇａｉｎ”にてゲインを上げる指示がなされると、２色差信号ともに同じ比率で更にゲインを変化させる。例えば、“Ｃ−Ｇａｉｎ”が１．２倍の指示であった場合、Ｒ−Ｙ信号は１．１４×１．２＝１．３６８倍、Ｂ−Ｙ信号は２．０３×１．２＝２．４３６倍の増幅率となる。
【００１９】
この様子を表わしたものが図５である。図５（ａ）はＲ−Ｙ信号を、（ｂ）はＢ−Ｙ信号を表わし、破線にて示したそれぞれ１．１４倍、２．０３倍されたＲ−Ｙ信号とＢ−Ｙ信号の標準レベルが、それぞれ実線で示した波形の様に操作される。これは所謂「彩度」を上げる操作に相当する。
【００２０】
このように輝度信号処理用増幅器１３とクロマ信号デコーダ１４にてそれぞれ処理され出力されたＹ信号とＲ−Ｙ信号、Ｂ−Ｙ信号はＲＧＢマトリクス回路２５にて以下に示す計算式にてＲＧＢ信号に変換される。
【００２１】
Ｒ＝Ｙ＋（Ｒ−Ｙ）
Ｇ＝Ｙ−０．５０９（Ｒ−Ｙ）−０．１９４（Ｂ−Ｙ）
Ｂ＝Ｙ＋（Ｂ−Ｙ））
ここでもＣＰＵ９０の指示による“Ｒ−Ｇａｉｎ”，“Ｇ−Ｇａｉｎ”，“Ｂ−Ｇａｉｎ”にてＲＧＢマトリクス回路２５から出力される各ＲＧＢ信号の振幅が制御される。これは色温度調整を成すためのものであり、大まかに表現すれば、色温度を高く表示する際にはＲのゲインを下げてＢのゲインを上げ、反対に色温度を低く表示する際にはＲのゲインを上げてＢのゲインを下げる。厳密に再現するにはＧのゲインも変化させる必要があるが、表示デバイスの特性や各信号処理ブロックの誤差等を勘案すると、ＲのゲインとＢのゲインのみの操作にて処理を行っても大きな違和感はない。
【００２２】
このＲＧＢマトリクス回路２５から出力されたＲＧＢ信号は、ＯＳＤ回路にてＯＳＤ表示の信号が付加され、画像表示器（ＣＲＴ）８１にて描画される。
【００２３】
一方、音声信号はＬチャンネル音声入力端子５１、Ｒチャンネル音声入力端子５２から入力され、音声信号処理用増幅器５３にて増幅された後、Ｌチャンネル用スピーカー８３、Ｒチャンネル用スピーカー８４から再生される。このとき、音声信号処理用増幅器５３も画像信号と同様、ＣＰＵ９０より種々の制御を受ける。制御項目としては「音量制御」、低音と高音のゲインを変える「トーンコントロール」、小音量時の低音と高音を増強する「ラウドネス」等が有る。
【００２４】
又、「音量制御」においては、全体の音量を調整する「音量」と、Ｌチャンネル／Ｒチャンネルのバランスを取るための「ＬＲバランス」、更には、図１には示していないが、サラウンド対応時のフロントスピーカーとリアスピーカーのバランスを取るための「ＦＲバランス」等がある。
【００２５】
ところで、以上の説明によるハード構成は従来のテレビジョン受像機やモニターディスプレィと変わる所がないが、本発明の特徴はＣＰＵ９０による各種調整指示とＯＳＤ表示にある。その各種調整は図１のブロック図には不図示の操作ＳＷ若しくは赤外線リモコン装置の操作にて行われ、調整メニューを選択するメニュー選択ＳＷと、上下左右の４方向を指示するＳＷ若しくは上下左右の２次元方向に自由に移動指示ができるジョイスティック等の２次元移動指示手段と、調整操作を終える時に用いる調整終了ＳＷがある。
【００２６】
これらの操作に対応する機能はＣＰＵ９０が制御し、図６はそのプログラムソフトの一部分のフローチャートである。ここでは一例として明るさとコントラスト調整を行う際のフローチャートを示し、図７〜図１３はその時に画像表示器（ＣＲＴ）８１にて描画される画像の例である。
【００２７】
先ず、ステップ１１０にて、明るさ／コントラスト調整メニューが選択されるのを待ち、選択された場合次のステップ１２０にてＥＥＰ−ＲＯＭ（不揮発性のメモリー）９１に記憶されているコントラストの設定値“ａ”と明るさの設定値“ｂ”を読み出す。この値は０〜６３までの値を取り、それぞれ“ＣＮＴ”と命名されたコントラストを示すＣＰＵ９０内のレジスタ、“ＢＲＴ”と命名された明るさを示すＣＰＵ９０内のレジスタに移される。
【００２８】
ステップ１３０では、２次元移動指示手段で横方向の移動操作が成されたか否かをチェックする。通常、明るさ／コントラストの調整メニューが選択された直後には２次元移動指示手段の操作はないが、ステップ１３０〜１６０のループ処理中において、ステップ１３０にて２次元移動指示手段で横方向の移動操作がなされたか否かをチェックし、左方向への移動操作がなされた時はステップ１３１にて“ＣＮＴ”をデクリメントし、反対に右方向への移動操作がなされた時はステップ１３２にて“ＣＮＴ”をインクリメントする。
【００２９】
同様にステップ１３０〜１６０のループ処理中、ステップ１４０では２次元移動指示手段で縦方向の移動操作がなされたか否かをチェックし、下方向への移動操作がなされた時はステップ１４１にて“ＢＲＴ”をデクリメントし、反対に上方向への移動操作がなされた時はステップ１４２にて“ＢＲＴ”をインクリメントする。
【００３０】
ステップ１５０ではコントラストを示すレジスタ値“ＣＮＴ”と明るさを示すレジスタ値“ＢＲＴ”を基に、それぞれＹ信号に対する指示値“Ｙ−Ｇａｉｎ”と“Ｏｆｆｓｅｔ”を決定し、輝度信号処理用増幅器１３に指示を出す。“ＣＮＴ”，“ＢＲＴ”とも単に０〜６３にコード化された値であり、実際の設定指示値“Ｙ−Ｇａｉｎ”と“Ｏｆｆｓｅｔ”は、それぞれのレジスタ値“ＣＮＴ”と“ＢＲＴ”の関数ｆ（ＣＮＴ），ｆ（ＢＲＴ）となる。これらは演算処理によって求めるか、或はテーブルとして備えるものであっても良い。
【００３１】
ステップ１５１では明るさ／コントラスト調整用アイコンの表示をＯＳＤ回路２５に指示する。
【００３２】
図７はこの時の表示器８１での表示例であり、画面左辺の明るさ調整の方向を示す表示、画面下辺のコントラスト調整の方向を示す表示と共に移動調整用アイコンが表示される。同図は、明るさ、コントラスト共に中庸な値の場合の表示例であり、画面のほぼ中央に移動調整用アイコンが表示される。
【００３３】
このステップ１５１では移動調整用アイコンの表示位置（Ｈ，Ｖ）も併せて“ＯＳＤ　Ｄａｔａ”として指示する。横方向の表示位置“Ｈ”は“ＣＮＴ”の関数ｇ（ＣＮＴ）であり、コントラストが高い程画面右方に表示させる値となる。そして、縦方向の表示位置“Ｖ”は“ＢＲＴ”の関数ｇ（ＢＲＴ）であり、明るい程上方に表示させる値となる。
【００３４】
ステップ１６０では、調整終了ＳＷにて調整メニューから抜ける操作がなされたか否かをチェックし、未だ調整メニューから抜ける操作がなされていない場合にはステップ１３０に戻り、調整メニューから抜ける操作がなされた場合には次のステップ１７０に進む。そして、ステップ１７０にてアイコン表示の中止をＯＳＤ回路２５に指示し、１７１にて２つのレジスタ値“ＣＮＴ”と“ＢＲＴ”をＥＥ−ＲＯＭ９１に格納してこのシーケンスを終了する。
【００３５】
図８は図７の状態から明るさを調整した時、つまり２次元移動指示手段にて上下方向の移動操作が成された場合の例で、（ａ）は一番明るく調整した場合を、（ｂ）は一番暗く調整した場合を示す。同様に図９は図７の状態からコントラストを調整した時、つまり２次元移動指示手段にて左右方向の移動操作がなされた場合の例で、（ａ）はコントラスト一番強く調整した場合を、（ｂ）はコントラスト一番弱く調整した場合を示す。そして、図１０はコントラストを可成り強く、明るさはやや暗めに調整した場合の例である。
【００３６】
このように、明るさ／コントラスト調整メニューの選択操作がなされると移動調整用アイコンが表示され、これを上下左右に移動させる操作を行うことにより、明るさとコントラストの調整がなされる。
【００３７】
尚、図６に示したフローチャートでは、ステップ１３０〜１６０のループ処理中、ステップ１５０と１５１にて“Ｙ−Ｇａｉｎ”，“Ｏｆｆｓｅｔ”，“ＯＳＤ　Ｄａｔａ”を毎回発行しているが、ステップ１３０若しくはステップ１４０にて２次元移動指示手段での移動操作がなされたと判断した場合のみ、つまり“ＣＮＴ”若しくは“ＢＲＴ”の更新が成された場合のみ発行するようにしても差し支えない。
【００３８】
次に、色合い調整について説明する。
【００３９】
詳細説明は省くが、明るさ／コントラスト調整操作とほぼ同様なプログラムシーケンスを用い、色合い調整メニューが選択された場合には図１１のようなアイコンを表示させる。この場合はクロマ信号デコーダ１４に対し、移動調整用アイコンの上下方向の移動に連動して“Ｃ−Ｇａｉｎ”を指示することにより「彩度」を調整し、左右方向の移動に連動して“Ｐｈａｓｅ”を指示することにより「色相」を調整する。
【００４０】
又、図１２は色温度調整の例であり、移動調整用アイコンを左右に移動させることにより色温度を調整する。この例では示していないが、移動調整用アイコンの上下方向の移動でＧ（Ｇｒｅｅｎ）の調整機能を持たせればＲＧＢバランスの調整にもなる。
【００４１】
最後に図１３に音声の調整の場合を示す。
【００４２】
（ａ）は音量バランス調整メニューであり、移動調整整用アイコンの左右方向の移動でＬチャンネル／Ｒチャンネルのバランスを取る「ＬＲバランス」、上下方向の移動でフロントスピーカー／リアスピーカーのバランスを取る「ＦＲバランス」を調整する。同じく（ｂ）はトーンコントロール調整メニューであり、移動調整用アイコンの左右方向の移動で低音のバランスを取る「Ｂａｓｓ」、上下方向の移動で高音のバランスを取る「Ｔｒｅｂｌｅ」を調整する。そして、（ｃ）は音量＆ラウドネス調整メニューであり、移動調整用アイコンの左右方向の移動で低音と高音を補強する「ラウドネス」、上下方向の移動で全体の音量を調整する「マスターボリューム」を調整する。
【００４３】
＜実施の形態２＞
次に、本発明の実施の形態２について説明する。
【００４４】
図１４は本発明の実施の形態２に係るテレビジョン受像機やモニターディスプレィの回路ブロック図であり、先に説明した実施の形態１と同等の機能を有するブロックには同一の番号が割り振られている。
【００４５】
図１４にて図１と異なる点は、スケーリング回路２１及び２２が追加されている点にある。スケーリング回路２１，２２は、それぞれＹ信号と色差信号に対し、画面サイズの縮小処理を行う。先ず、それぞれ入力されたアナログ信号のＹ信号と色差信号をＡ／Ｄコンバータにて量子化し、それぞれＣＰＵ９０から指示された比率“Ｓｃａｌｅ”に従って縮小処理を行う。そして、縮小された画面サイズのＹ信号と色差信号をＤ／Ａコンバータにてアナログ信号に戻して出力する。その際、画上の任意の位置に縮小画面を配置することが可能であり、その配置もＣＰＵ９０より“（Ｈ，Ｖ）”にて指示される。
【００４６】
ところで、例えば明るさ／コントラスト調整メニューの選択操作がなされた場合に表示されるのが、図１５に示した様な画面である。この実施の形態では、前記実施の形態１にて示した移動調整用アイコンの代わりに縮小された画像を表示する。
【００４７】
操作者は２次元移動指示手段を用い、この縮小画像を上下方向に移動させることにより明るさを、左右方向に移動させることによりコントラストの調整を行う。そして、縮小画像は、画質調整値に応じた画質のものとなり、各種調整の様子を操作者に知らしめる。その際にＣＰＵ９０が行う制御の詳細な説明は省略するが、実施の形態１における図６のフローチャートと概念的には変わりがなく、移動調整用アイコンの表示位置指示の代わりに、縮小画像の表示位置を指示すれば良い。
【００４８】
図１５は実施の形態２における明るさ／コントラスト調整メニューにおいて、明るさ、コントラスト共に中庸な値の場合の表示器８１での表示例であり、画面のほぼ中央に縮小画像が表示されている。
【００４９】
図１６は図１５の状態から明るさを調整した時、つまり２次元移動指示手段にて上下方向の移動操作がなされた場合の例で、（ａ）は一番明るく調整した場合を、（ｂ）は一番暗く調整した場合を示す。同様に図１７は図１５の状態からコントラストを調整した時、つまり２次元移動指示手段にて左右方向の移動操作がなされた場合の例で、（ａ）はコントラストを一番強く調整した場合を、（ｂ）はコントラストを一番弱く調整した場合を示す。そして、図１８はコントラストを可成り強く、明るさはやや暗めに調整した場合の例である。
【００５０】
このように、明るさ／コントラスト調整メニューの選択操作がなされると縮小画像が表示され、これを上下左右に移動させる操作をなすことにより、明るさとコントラストの調整がなされる。
【００５１】
又、図１９及び図２０はそれぞれ色合い調整、色温度調整を行う際の表示例であり、やはり実施の形態１と同様に各調整メニューを選択した状態で、縮小画像を上下左右に移動させる操作をなすことによりそれぞれの調整がなされる。
【００５２】
＜実施の形態３＞
図２１は本発明をデジタルテレビジョン放送受信用マトリクスディスプレィに応用した場合の回路ブロック図であり、先に説明した実施の形態１の図１と同等の機能を有するブロックには同一の番号が割り振られている。
【００５３】
図２１において、３１はＹデータ入力端子、３２はＶデータ入力端子、３３はＵデータ入力端子、３４はＹデータ用乗算器、３５はＶデータ用乗算器、３６はＵデータ用乗算器、３７はオフセット加算器、４１はＹデータ用スケーリング回路、４２はＲ−Ｙデータ用スケーリング回路、４３はＢ−Ｙデータ用スケーリング回路、４４はデジタルＲＧＢマトリクス回路、４５はデジタルＯＳＤ回路、８０はディスプレィパネルドライバー、８２はマトリクスディスプレィである。
【００５４】
Ｙ，Ｕ，Ｖデータ入力端子３１，３２，３３には、それぞれＹ信号、Ｖ信号（（Ｒ−Ｙ）／１．５７４８、Ｕ信号（（Ｂ−Ｙ）／１．８５５６）の８ｂｉｔの画像データがチューナーユニット等から入力される。
【００５５】
そして、それぞれＹ，Ｕ，Ｖデータ用乗算器３４，３５，３５においてにおいてＣＰＵ９０からの指示された値“Ｙ−Ｇａｉｎ”，“Ｙ−Ｇａｉｎ”，“ＢＹ−Ｇａｉｎ”を乗じ、更にＹ信号に対しては加算器３７にてＣＰＵ９０からの指示された値“Ｏｆｆｓｅｔ”が加算され、Ｙデータ、Ｒ−Ｙデータ、Ｂ−Ｙデータとなる。Ｙ，Ｕ，Ｖデータ用スケーリング回路４１，４２，４３ではこれら画像データの縮小処理を行い、デジタルＲＧＢマトリクス回路４４に供給し、ＲＧＢデータを得る。ここでもＣＰＵ９０からの指示された値“Ｒ−Ｇａｉｎ”，“Ｇ−Ｇａｉｎ”，“Ｂ−Ｇａｉｎ”を乗じた後、デジタルＯＳＤ回路４５にてＯＳＤ情報を付加し、出力画像データを得る。
【００５６】
ディスプレィパネルドライバー８０はマトリクスディスプレィ８２に描画させるための駆動を行うブロックで、上記出力画像データを受け、その画像を描画処理する。
【００５７】
この実施の形態の場合も、画質調整を行う何らかのメニューが選択された場合には、Ｙ，Ｕ，Ｖデータ用スケーリング回路４１，４２，４３にて縮小された画像をマトリクスディスプレィ８２に描画し、やはり不図示の２次元移動指示手段にてこの縮小画像を上下左右に移動させることにより各種調整がなされる。
【００５８】
尚、デジタル放送の場合は各種演算式がＮＴＳＣの場合とは若干異なる。
【００５９】
先ず、Ｒ−Ｙ信号とＢ−Ｙ信号であるが、ＮＴＳＣの場合、２相変調されたＣ信号を復調した後それぞれ１．１４倍、２．０３倍してＲ−Ｙ信号とＢ−Ｙ信号を得ていたが、デジタル放送においてはＶ信号とＵ信号をそれぞれ１．５４７８倍、１．８５５６倍してＲ−Ｙ信号とＢ−Ｙ信号を得る。
【００６０】
そして、ＲＧＢマトリクス回路４４においては、以下の計算式にてＲＧＢ信号に変換する。
【００６１】
Ｒ＝Ｙ＋（Ｒ−Ｙ）
Ｇ＝Ｙ−０．２９９（Ｒ−Ｙ）−０．１０１（Ｂ−Ｙ）
Ｂ＝Ｙ＋（Ｂ−Ｙ）
又、この実施の形態の場合、実施の形態１，２でのＮＴＳＣ信号とは、色あい調整の方法が異なる。ＮＴＳＣ信号に対しては位相調整“Ｐｈａｓｅ”により色相を変化させていたが、本実施の形態のようなＹＵＶ入力の場合には不向きである。その代わりとして、“ＲＹ−Ｇａｉｎ”と“ＢＹ−Ｇａｉｎ”の比率を変化させることにより色味を変化させる。
【００６２】
図２２はこのときの描画出力を示す。縮小画像を左右に移動させることにより“ＲＹ−Ｇａｉｎ”と“ＢＹ−Ｇａｉｎ”の比率を変化させ、縮小画像上下に移動させることにより“ＲＹ−Ｇａｉｎ”と“ＢＹ−Ｇａｉｎ”の比率を一定に保ったまま、両者のゲインが変化する。つまり、縮小画像の左右移動操作にて「色味」が上下移動操作にて「彩度」が調整できる。
【００６３】
【発明の効果】
以上の説明で明らかなように、本発明によれば、種々の調整項目の中から関連のある２つの調整項目を組み合わせ、表示画面上にアイコン等の視覚化シンボル若しくは縮小した画像を描画し、これらの水平／垂直の２方向の表示位置をもって２つの調整項目の調整値を視覚的に示すようにしたため、回路規模の増大を伴わずに一般者にも安易な操作にて画質調整を行うことができるという効果が得られる。
【図面の簡単な説明】
【図１】本発明の実施の形態１の回路ブロック図である。
【図２】Ｙ信号コントラスト調整波形図である。
【図３】Ｙ信号明るさ調整波形図である。
【図４】Ｃ信号色相調整ベクトル図である。
【図５】色差信号彩度調整波形図である。
【図６】プログラムフローチャートである。
【図７】明るさ／コントラスト調整時出力画面を示す図である。
【図８】明るさ／コントラスト調整時出力画面を示す図である。
【図９】明るさ／コントラスト調整時出力画面を示す図である。
【図１０】明るさ／コントラスト調整時出力画面を示す図である。
【図１１】色あい調整時出力画面を示す図である。
【図１２】色温度調整時出力画面を示す図である。
【図１３】音声調整時出力画面を示す図である。
【図１４】本発明の実施の形態２の回路ブロック図である。
【図１５】明るさ／コントラスト調整時出力画面を示す図である。
【図１６】明るさ／コントラスト調整時出力画面を示す図である。
【図１７】明るさ／コントラスト調整時出力画面を示す図である。
【図１８】明るさ／コントラスト調整時出力画面を示す図である。
【図１９】色あい調整時出力画面を示す図である。
【図２０】色温度調整時出力画面を示す図である。
【図２１】本発明の実施の形態３の回路ブロック図である。
【図２２】明るさ／コントラスト調整時出力画面を示す図である。
【符号の説明】
１１　　　　輝度信号入力端子
１２　　　　クロマ信号入力端子
１３　　　　輝度信号処理用増幅器
１４　　　　クロマデコーダ
２１，２２，４１〜４３　スケーリング回路
２４，４４　クロマＲＧＢマトリクス回路
２５，４５　ＯＳＤ回路
３１　　　　Ｙデータ入力端子
３２　　　　Ｖデータ入力端子
３３　　　　Ｖデータ入力端子
３４，３５，３６　乗算器、
３７　　　　オフセット加算器、
５１　　　　Ｌチャンネル音声入力端子
５２　　　　Ｒチャンネル音声入力端子
５３　　　　音声信号処理用増幅器
８０　　　　ディスプレィパネルドライバー
８１，８２　画像表示器
８３　　　　Ｌチャンネル用スピーカー
８４　　　　Ｒチャンネル用スピーカー
９０　　　　ＣＰＵ
９１　　　　不揮発性メモリー
【図１】
2004007215.tif 000003
【図２】
2004007215.tif 000004
【図３】
2004007215.tif 000005
【図４】
2004007215.tif 000006
【図５】
2004007215.tif 000007
【図６】
2004007215.tif 000008
【図７】
2004007215.tif 000009
【図８】
2004007215.tif 000010
【図９】
2004007215.tif 000011
【図１０】
2004007215.tif 000012
【図１１】
2004007215.tif 000013
【図１２】
2004007215.tif 000014
【図１３】
2004007215.tif 000015
【図１４】
2004007215.tif 000016
【図１５】
2004007215.tif 000017
【図１６】
2004007215.tif 000018
【図１７】
2004007215.tif 000019
【図１８】
2004007215.tif 000020
【図１９】
2004007215.tif 000021
【図２０】
2004007215.tif 000022
【図２１】
2004007215.tif 000023
【図２２】
2004007215.tif 000024